(57)【要約】      （修正有）【課題】体の異常、異変等が発生したときには容易かつ確実に緊急事態を送信することができる送信機を提供する。【解決手段】緊急信号を送信する送信機能を内蔵したケース本体２は、認知症の人、介護を受けている人、病人、高齢者等の緊急信号送信者が誤飲不可能な径にて形成するとともに、緊急信号スイッチ３はケース本体２の一面に突設形成し、さらに緊急信号送信用スイッチ３のスイッチ面３１は手全体あるいは手の平部、握りこぶし部、手刀部等、手の指先に比較し広面積からなる部位にて押動しても入力することができる面積にて形成したことを特徴とする緊急通報装置における送信機１。【選択図】図１
0003150772.tif 000002
【実用新案登録請求の範囲】
【請求項１】
消防署、救急センター、病院、ナースセンター等へ緊急信号を送信する送信機能を内蔵したケース本体は、認知症の人、介護を受けている人、病人、高齢者等の緊急信号送信者が誤飲不可能な径にて形成するとともに、緊急信号スイッチはケース本体の一面に突設形成し、さらに緊急信号送信用スイッチのスイッチ面は手全体あるいは手の平部、握りこぶし部、手刀部等、手の指先に比較し広面積からなる部位にて押動しても入力することができる面積にて形成したことを特徴とする緊急通報装置における送信機。
【請求項２】
緊急信号送信用スイッチはケース本体に形成した中央部が高く端部に向かうほど低くなる傾斜面に突設形成したことを特徴とする請求項１記載の緊急通報装置における送信機。
【請求項３】
ケース本体の裏面には磁着部を形成し、磁着自在としたことを特徴とする請求項１または請求項２記載の緊急通報装置における送信機。
【請求項４】
送信機は、所定の周波数帯の無線信号発信部を備えてなる無線送信機であることを特徴とする請求項１乃至請求項３のいずれかに記載の緊急通報装置における送信機。
【考案の詳細な説明】
【技術分野】
【０００１】
本考案は介護を受けている人、病人、高齢者等が身体に異常、あるいは異変が発生した時の緊急時等に使用して有用な緊急通報装置における送信機に関する。
【背景技術】
【０００２】
従来、介護施設、病院、家庭等において、介護を受けている人、病人、高齢者等が身体の異常を主治医、ナースセンター、消防署（救急車）、救急センター等に知らせる際、第１図に示すような送信機が使用されていた。この送信機能を内蔵した送信機９は、携帯も可能で小型かつ平面的に形成されており、使用者は指先８３にて平面状の小径なスイッチ部９１を指先にて探し当てこれを押動することにより緊急信号を入力している。
【特許文献１】特開２０００−２０８５４号公報
【考案の開示】
【考案が解決しようとする課題】
【０００３】
しかしながら前述したような小型で指先による押動でスイッチオンとなる送信機にあっては、認知症の人は誤飲してしまうおそれがあることから極めて危険である。また、スイッチ部を押動しにくいという問題があった。
【０００４】
また介護を受ける人、病人、高齢者等にあっては指先の感覚がにぶり、あるいは指先を動かすことができず指先にてスポット的な少狭な面積で且つ平面的に形成されたスイッチ部を押動することができず、身体の異常、容態の急変等に気づいても、これを知らせることができない事態も生ずる。また、少狭な面積で且つ平面的に形成されたスイッチ部を指先で探し当て押動するのは困難を伴うものであった。
【０００５】
そこで本考案は認知症等の人にあっても誤飲してしまう等、不慮の事故が発生する危険性は全くなく、また指先が不自由であったりして、スイッチ部分を指先にてスポット的に押動することができない介護を受けている人、病人、高齢者等であっても手全体あるいは手の平部、握りこぶし部、手刀部等指先に比べれば極めて広い面積で押動することのできる任意の部位にて緊急信号のスイッチを容易に押動して送信し、身体の異常、異変等が発生したときには容易かつ確実に緊急事態を送信することができる送信機を提供することを目的とする。
【課題を解決するための手段】
【０００６】
上記課題を解決するために、本考案の緊急通報装置における送信機は、消防署、救急センター、病院、ナースセンター等へ緊急信号を送信する送信機能を内蔵したケース本体は、認知症の人、介護を受けている人、病人、高齢者等の緊急信号送信者が誤飲不可能な径にて形成するとともに、緊急信号スイッチはケース本体の一面に突設形成し、さらに緊急信号送信用スイッチのスイッチ面は手全体あるいは手の平部、握りこぶし部、手刀部等、手の指先に比較し広面積からなる部位にて押動しても入力することができる面積にて形成したことを特徴とするものである。
【０００７】
また、緊急信号送信用スイッチはケース本体に形成した中央部が高く端部に向かうほど低くなる傾斜面に突設形成したことを特徴とするものである。
【０００８】
ケース本体の裏面には磁着部を形成し、磁着自在としたことを特徴とするものである。
【０００９】
送信機は、所定の周波数帯の無線信号発信部を備えてなる無線送信機であることを特徴とするものである。
【考案の効果】
【００１０】
消防署、救急センター、病院、ナースセンター等へ緊急信号を送信する送信機能を内蔵したケース本体は、認知症の人、介護を受けている人、病人、高齢者等の緊急信号送信者が誤飲不可能な径にて形成するとともに、緊急信号スイッチはケース本体の一面に突設形成し、さらに緊急信号送信用スイッチのスイッチ面は手全体あるいは手の平部、握りこぶし部、手刀部等、手の指先に比較し広面積からなる部位にて押動しても入力することができる面積にて形成したことにより、認知症等の人にあっても誤飲してしまう等、不慮の事故が発生する危険性は全くなく、また指先が不自由であったりして、スイッチ部分を指先にてスポット的に押動することができない介護を受けている人、病人、高齢者等であっても手全体あるいは手の平部、握りこぶし部、手刀部等指先に比べれば極めて広い面積で緊急信号のスイッチを容易に押動して送信することができ、身体の異常、異変等が発生したときには容易かつ確実に緊急事態を知らせることができる。
【００１１】
緊急信号送信用スイッチはケース本体に形成した中央部が高く端部に向かうほど低くなる傾斜面に突設形成したことにより、寝たままの状態でもスイッチを容易に押動することができ、身体の異常、異変等が発生したときには容易かつ確実に緊急事態を知らせることができる。
【００１２】
ケース本体の裏面には磁着部を形成し、磁着自在としたことにより、送信機を磁着可能な斜面や壁面に自在に取り付け取り外しをすることができ、送信機の設置場所を随時選択して送信機を取り付けることができるとともに、送信機を紛失したり、送信機がベッドから落下することがなく確実に緊急事態を知らせることができる。
【００１３】
送信機は、所定の周波数帯の無線信号発信部を備えてなる無線送信機であることにより、送信機を持ち運び、移動可能であるとともに、配線コードがベッドの柵に絡まる等のような煩わしさがない。
【考案を実施するための最良の形態】
【００１４】
本考案の実施の形態につき図を用いて説明する。図１は、本考案の実施の形態を示す緊急通報装置における送信機の斜視図、図２は送信機の使用状態を示す斜視図、図３は送信機の背面図、図４は磁着部の側面図、図５は送信機の内部構造を示す平面図である。
【００１５】
本考案の緊急通報装置における送信機１は、消防署、救急センター、病院、ナースセンター等へ緊急信号を送信する送信機能を内蔵したケース本体２は、認知症の人、介護を受けている人、病人、高齢者等の緊急信号送信者が誤飲不可能な径にて形成するとともに、緊急信号送信用スイッチ３は、ケース本体２の一面に突設形成し、さらにこの緊急信号送信用スイッチ３のスイッチ面３１は手全体あるいは手の平部、握りこぶし部、手刀部等、手の指先に比較し広面積からなる部位にて押動しても入力することができる面積にて形成されている。尚、緊急信号送信用スイッチ３は、緊急信号送信用スイッチ３自体を押動自在とし、緊急信号を入力する形態としてもよいし、スイッチ３のスイッチ面３１のみを押動自在とし、緊急信号を入力する形態の何れの形態とすることも可能である。
【００１６】
送信機１は、不図示の受信装置に無線により緊急信号を送信できる装置で、本実施の形態筐体形状のケース本体２と、ケース本体２内蔵される送信制御部５からなる。ケース本体２は、使用者等が誤飲することのない程度の径、例えば成人の手のひら程度またはそれより広面積の径からなり、本実施の形態においては、送信制御部５が内蔵される筐体２３と筐体２３の蓋部としてのカバー２１で形成され、筐体２３内に内蔵した送信制御部５を覆うようにカバー２１がネジ、嵌合等各種手段により固定されるようになっている。尚、カバー２１には、信号送信をしたことを示すＬＥＤランプ４用の窓を形成してもよい。
【００１７】
ケース本体２の表面には、送信制御部４に連通する緊急信号送信用スイッチ３が突設され、使用者は手８の手のひら８２、握りこぶし部、手刀部等手の各部位、さらには身体の他の部位にて、スイッチ面３１を押して緊急送信用スイッチ３を押動させることにより送信制御部５より信号が送信される。さらに、緊急信号送信用スイッチ３はケース本体２に形成した傾斜面２２に形成されている。尚、
【００１８】
この傾斜面２２は、ケース本体２の中央部２４が高く、端部２５に向かうほど低くなる緩やかな傾斜で手のひらの窪みのカーブと、手首８１を床面に接地した状態でスイッチ面３１を押動させるときの手のひら８２の角度に合致する傾斜であることが望ましい。
【００１９】
ケース本体２の裏面２６には、磁着部２７を形成して磁着自在にしてもよい。磁着部２７は磁石体であり、金属からなるロッカーや壁面に固定した磁着体６に着脱自在に取り付けてもよい。また、逆に磁着部を金属で形成し、磁石面を備えた磁着体に着脱自在に取り付けてもよい。
【００２０】
また、ケース本体の裏面２６には、孔部２８を形成して不図示のフックに取り付けてもよい。
【００２１】
ケース本体２内に内蔵される送信制御部５は、バッテリー５１と緊急送信用スイッチ３と連動してなるスイッチ部５２、所定の周波数の無線信号を送信する送信モジュール５２、緊急送信用スイッチ３と連動し送信モジュール５２を動作させるスイッチ部５３、送信モジュールの動作を示すＬＥＤランプ等を備えてなり、無線で緊急信号を不図示の受信装置に送信するようになっている。尚、無線送信の周波数はいかなる周波数帯でもよいが、使用場所、法律による制限に合致したものが望ましく、本考案においては病院内等による使用を考慮してＲＦ波が望ましい。
【００２２】
尚、図に示すケース本体２は略直方体形状であるが、角部にアールを着けて丸みをもたせるようにしてもよい。そうすることで、更に、手になじみやすくなり、安全性も高まる。
【図面の簡単な説明】
【００２３】
【図１】本考案の実施の形態を示す緊急通報装置における送信機の斜視図。
【図２】送信機の使用状態を示す斜視図。
【図３】送信機の背面図。
【図４】磁着部の側面図。
【図５】送信機の内部を示す平面図。
【図６】従来の緊急通報装置における送信機の斜視図。
【符号の説明】
【００２４】
１    送信機
２    ケース本体
２１  カバー
２２  傾斜面
２３  筐体
２４  ケース体中央部
２５  ケース体端部
２６  ケース体裏面
２７  磁着部
２８  孔部
３    緊急信号送信用スイッチ
３１  スイッチ面
４    ＬＥＤランプ
５    送信制御部
５１  バッテリー
５２  送信モジュール
５３  スイッチ部
６    磁着体
８    手
８１  手首
８２  手のひら
８３  指先
９    送信機
９１  スイッチ
【図１】
0003150772.tif 000003
【図２】
0003150772.tif 000004
【図３】
0003150772.tif 000005
【図４】
0003150772.tif 000006
【図５】
0003150772.tif 000007
【図６】
0003150772.tif 000008
【手続補正書】
【提出日】平成21年3月24日(2009.3.24)
【手続補正１】
【補正対象書類名】明細書
【補正対象項目名】全文
【補正方法】変更
【補正の内容】
【考案の詳細な説明】
【技術分野】
【０００１】
本考案は介護を受けている人、病人、高齢者等が身体に異常、あるいは異変が発生した時の緊急時等に使用して有用な緊急通報装置における送信機に関する。
【背景技術】
【０００２】
従来、介護施設、病院、家庭等において、介護を受けている人、病人、高齢者等が身体の異常を主治医、ナースセンター、消防署（救急車）、救急センター等に知らせる際、第１図に示すような送信機が使用されていた。この送信機能を内蔵した送信機９は、携帯も可能で小型かつ平面的に形成されており、使用者は指先８３にて平面状の小径なスイッチ部９１を指先にて探し当てこれを押動することにより緊急信号を入力している。
【特許文献１】特開２０００−２０８５４号公報
【考案の開示】
【考案が解決しようとする課題】
【０００３】
しかしながら前述したような小型で指先による押動でスイッチオンとなる送信機にあっては、認知症の人は誤飲してしまうおそれがあることから極めて危険である。また、スイッチ部を押動しにくいという問題があった。
【０００４】
また介護を受ける人、病人、高齢者等にあっては指先の感覚がにぶり、あるいは指先を動かすことができず指先にてスポット的な少狭な面積で且つ平面的に形成されたスイッチ部を押動することができず、身体の異常、容態の急変等に気づいても、これを知らせることができない事態も生ずる。また、少狭な面積で且つ平面的に形成されたスイッチ部を指先で探し当て押動するのは困難を伴うものであった。
【０００５】
そこで本考案は認知症等の人にあっても誤飲してしまう等、不慮の事故が発生する危険性は全くなく、また指先が不自由であったりして、スイッチ部分を指先にてスポット的に押動することができない介護を受けている人、病人、高齢者等であっても手全体あるいは手の平部、握りこぶし部、手刀部等指先に比べれば極めて広い面積で押動することのできる任意の部位にて緊急信号のスイッチを容易に押動して送信し、身体の異常、異変等が発生したときには容易かつ確実に緊急事態を送信することができる送信機を提供することを目的とする。
【課題を解決するための手段】
【０００６】
上記課題を解決するために、本考案の緊急通報装置における送信機は、消防署、救急センター、病院、ナースセンター等へ緊急信号を送信する送信機能を内蔵したケース本体は、認知症の人、介護を受けている人、病人、高齢者等の緊急信号送信者が誤飲不可能な径にて形成するとともに、緊急信号送信用スイッチはケース本体の一面に突設形成し、さらに緊急信号送信用スイッチのスイッチ面は手全体あるいは手の平部、握りこぶし部、手刀部等、手の指先に比較し広面積からなる部位にて押動しても入力することができる面積にて形成したことを特徴とするものである。
【０００７】
また、緊急信号送信用スイッチはケース本体に形成した中央部が高く端部に向かうほど低くなる傾斜面に突設形成したことを特徴とするものである。
【０００８】
ケース本体の裏面には磁着部を形成し、磁着自在としたことを特徴とするものである。
【０００９】
送信機は、所定の周波数帯の無線信号発信部を備えてなる無線送信機であることを特徴とするものである。
【考案の効果】
【００１０】
消防署、救急センター、病院、ナースセンター等へ緊急信号を送信する送信機能を内蔵したケース本体は、認知症の人、介護を受けている人、病人、高齢者等の緊急信号送信者が誤飲不可能な径にて形成するとともに、緊急信号送信用スイッチはケース本体の一面に突設形成し、さらに緊急信号送信用スイッチのスイッチ面は手全体あるいは手の平部、握りこぶし部、手刀部等、手の指先に比較し広面積からなる部位にて押動しても入力することができる面積にて形成したことにより、認知症等の人にあっても誤飲してしまう等、不慮の事故が発生する危険性は全くなく、また指先が不自由であったりして、スイッチ部分を指先にてスポット的に押動することができない介護を受けている人、病人、高齢者等であっても手全体あるいは手の平部、握りこぶし部、手刀部等指先に比べれば極めて広い面積で緊急信号送信用のスイッチを容易に押動して送信することができ、身体の異常、異変等が発生したときには容易かつ確実に緊急事態を知らせることができる。
【００１１】
緊急信号送信用スイッチはケース本体に形成した中央部が高く端部に向かうほど低くなる傾斜面に突設形成したことにより、寝たままの状態でもスイッチを容易に押動することができ、身体の異常、異変等が発生したときには容易かつ確実に緊急事態を知らせることができる。
【００１２】
ケース本体の裏面には磁着部を形成し、磁着自在としたことにより、送信機を磁着可能な斜面や壁面に自在に取り付け取り外しをすることができ、送信機の設置場所を随時選択して送信機を取り付けることができるとともに、送信機を紛失したり、送信機がベッドから落下することがなく確実に緊急事態を知らせることができる。
【００１３】
送信機は、所定の周波数帯の無線信号発信部を備えてなる無線送信機であることにより、送信機を持ち運び、移動可能であるとともに、配線コードがベッドの柵に絡まる等のような煩わしさがない。
【考案を実施するための最良の形態】
【００１４】
本考案の実施の形態につき図を用いて説明する。図１は、本考案の実施の形態を示す緊急通報装置における送信機の斜視図、図２は送信機の使用状態を示す斜視図、図３は送信機の背面図、図４は磁着部の側面図、図５は送信機の内部構造を示す平面図である。
【００１５】
本考案の緊急通報装置における送信機１は、消防署、救急センター、病院、ナースセンター等へ緊急信号を送信する送信機能を内蔵したケース本体２は、認知症の人、介護を受けている人、病人、高齢者等の緊急信号送信者が誤飲不可能な径にて形成するとともに、緊急信号送信用スイッチ３は、ケース本体２の一面に突設形成し、さらにこの緊急信号送信用スイッチ３のスイッチ面３１は手全体あるいは手の平部、握りこぶし部、手刀部等、手の指先に比較し広面積からなる部位にて押動しても入力することができる面積にて形成されている。尚、緊急信号送信用スイッチ３は、緊急信号送信用スイッチ３自体を押動自在とし、緊急信号を入力する形態としてもよいし、緊急信号送信用スイッチ３のスイッチ面３１のみを押動自在とし、緊急信号を入力する形態の何れの形態とすることも可能である。
【００１６】
送信機１は、不図示の受信装置に無線により緊急信号を送信できる装置で、本実施の形態筐体形状のケース本体２と、ケース本体２内蔵される送信制御部５からなる。ケース本体２は、使用者等が誤飲することのない程度の径、例えば成人の手のひら程度またはそれより広面積の径からなり、本実施の形態においては、送信制御部５が内蔵される筐体２３と筐体２３の蓋部としてのカバー２１で形成され、筐体２３内に内蔵した送信制御部５を覆うようにカバー２１がネジ、嵌合等各種手段により固定されるようになっている。尚、カバー２１には、信号送信をしたことを示すＬＥＤランプ４用の窓を形成してもよい。
【００１７】
ケース本体２の表面には、送信制御部４に連通する緊急信号送信用スイッチ３が突設され、使用者は手８の手のひら８２、握りこぶし部、手刀部等手の各部位、さらには身体の他の部位にて、スイッチ面３１を押して緊急信号送信用スイッチ３を押動させることにより送信制御部５より信号が送信される。さらに、緊急信号送信用スイッチ３はケース本体２に形成した傾斜面２２に形成されている。尚、
【００１８】
この傾斜面２２は、ケース本体２の中央部２４が高く、端部２５に向かうほど低くなる緩やかな傾斜で手のひらの窪みのカーブと、手首８１を床面に接地した状態でスイッチ面３１を押動させるときの手のひら８２の角度に合致する傾斜であることが望ましい。
【００１９】
ケース本体２の裏面２６には、磁着部２７を形成して磁着自在にしてもよい。磁着部２７は磁石体であり、金属からなるロッカーや壁面に固定した磁着体６に着脱自在に取り付けてもよい。また、逆に磁着部を金属で形成し、磁石面を備えた磁着体に着脱自在に取り付けてもよい。
【００２０】
また、ケース本体の裏面２６には、孔部２８を形成して不図示のフックに取り付けてもよい。
【００２１】
ケース本体２内に内蔵される送信制御部５は、バッテリー５１と緊急信号送信用スイッチ３と連動してなるスイッチ部５２、所定の周波数の無線信号を送信する送信モジュール５２、緊急信号送信用スイッチ３と連動し送信モジュール５２を動作させるスイッチ部５３、送信モジュールの動作を示すＬＥＤランプ等を備えてなり、無線で緊急信号を不図示の受信装置に送信するようになっている。尚、無線送信の周波数はいかなる周波数帯でもよいが、使用場所、法律による制限に合致したものが望ましく、本考案においては病院内等による使用を考慮してＲＦ波が望ましい。
【００２２】
尚、図に示すケース本体２は略直方体形状であるが、角部にアールを着けて丸みをもたせるようにしてもよい。そうすることで、更に、手になじみやすくなり、安全性も高まる。
【図面の簡単な説明】
【００２３】
【図１】本考案の実施の形態を示す緊急通報装置における送信機の斜視図。
【図２】送信機の使用状態を示す斜視図。
【図３】送信機の背面図。
【図４】磁着部の側面図。
【図５】送信機の内部を示す平面図。
【図６】従来の緊急通報装置における送信機の斜視図。
【符号の説明】
【００２４】
１    送信機
２    ケース本体
２１  カバー
２２  傾斜面
２３  筐体
２４  ケース体中央部
２５  ケース体端部
２６  ケース体裏面
２７  磁着部
２８  孔部
３    緊急信号送信用スイッチ
３１  スイッチ面
４    ＬＥＤランプ
５    送信制御部
５１  バッテリー
５２  送信モジュール
５３  スイッチ部
６    磁着体
８    手
８１  手首
８２  手のひら
８３  指先
９    送信機
９１  スイッチ
【手続補正２】
【補正対象書類名】実用新案登録請求の範囲
【補正対象項目名】全文
【補正方法】変更
【補正の内容】
【実用新案登録請求の範囲】
【請求項１】
消防署、救急センター、病院、ナースセンター等へ緊急信号を送信する送信機能を内蔵したケース本体は、認知症の人、介護を受けている人、病人、高齢者等の緊急信号送信者が誤飲不可能な径にて形成するとともに、緊急信号送信用スイッチはケース本体の一面に突設形成し、さらに緊急信号送信用スイッチのスイッチ面は手全体あるいは手の平部、握りこぶし部、手刀部等、手の指先に比較し広面積からなる部位にて押動しても入力することができる面積にて形成したことを特徴とする緊急通報装置における送信機。
【請求項２】
緊急信号送信用スイッチはケース本体に形成した中央部が高く端部に向かうほど低くなる傾斜面に突設形成したことを特徴とする請求項１記載の緊急通報装置における送信機。
【請求項３】
ケース本体の裏面には磁着部を形成し、磁着自在としたことを特徴とする請求項１または請求項２記載の緊急通報装置における送信機。
【請求項４】
送信機は、所定の周波数帯の無線信号発信部を備えてなる無線送信機であることを特徴とする請求項１乃至請求項３のいずれかに記載の緊急通報装置における送信機。